Podtech/llm-jp-corpus-v4-ja_patent huggingface dataset:
(57)【要約】【課題】  本発明は、シリコンゴム製ネックレスの紐本体に伸縮性を持たせた構造として脱着金具を不要にすること、加えて、紐本体に強度を持たせた構造としてネックレス本体を細くし軽量化を図ることを課題とする。【解決手段】  本発明は、中心部に伸縮性のあるゴム糸を用いて、そのゴム糸の外周部に糸状繊維を編み込んで一本の伸縮性のある丈夫な紐を作り、その紐に液状の硬化型シリコンゴムを含侵させた後に固化させた構造を特徴とする紐本体を用いた健康ネックレスである。【選択図】図２
2019188106.tif 000002
【特許請求の範囲】
【請求項１】
中心部に伸縮性のあるゴム糸を用いて、そのゴム糸の外周部に糸状繊維を編み込んで一本の伸縮性のある丈夫な紐を作り、その紐に液状の硬化型シリコンゴムを含侵させた後に固化させた構造の紐本体を用いたシリコンゴム製の健康ネックレス。
【発明の詳細な説明】
【技術分野】
【０００１】  本発明は、頚部に装着するシリコンゴム製の健康ネックレスの構造に関するものである。
【背景技術】
【０００２】  シリコンゴム製の紐本体に磁石を埋め込んで磁力の刺激効果で頚部や肩部のコリを低減すると言われている磁気式健康ネックレスや、シリコンゴム製の紐本体の外周にチタンやゲルマニウムなどの金属製部品を取り付けた健康ネックレスが数多く市販されている。
多くのシリコンゴム製の健康ネックレスは、シリコンゴム製の紐本体が伸縮性に乏しい為、脱着金具を用いて使用する。脱着金具が金属製の場合は、金属アレルギーがある人には使用が制限される。また、脱着金具が磁石製の場合は、ペースメーカーを使用中の人には使用が制限される。近年、プラスチック製の脱着金具が開発されているが、脱着に手間がかかる煩わしさや取り付け部分の耐久性に問題が残る。
また、シリコンゴム製の紐本体が使用時に切れないように強度を保つ為、紐本体の直径を太くする必要があり、結果的にネックレス本体の重量が重くなり装着時の圧迫感や着け心地が悪くなったりする。
【発明の概要】
【発明が解決しようとする課題】
【０００３】  本発明は、シリコンゴム製健康ネックレスの紐本体に伸縮性を持たせた構造として脱着金具を不要にすること、加えて、紐本体に強度を持たせた構造としてネックレス本体を細くし軽量化を図ることを課題とする。
【課題を解決するための手段】
【０００４】  本発明は、中心部に伸縮性のあるゴム糸を用いて、そのゴム糸の外周部に糸状繊維を編み込んで一本の伸縮性のある丈夫な紐を作り、その紐に液状の硬化型シリコンゴムを含侵させた後に固化させた構造を特徴とする紐本体を用いた健康ネックレスである。更に、液状の硬化型シリコンゴムに、磁石やチタンや鉱石などの機能性粉末を添加したり、着色剤を添加してカラフルに仕上げるとネックレスの付加価値もあがる。
【発明の効果】
【０００５】  本発明の第１の特徴は、紐本体の中心部に伸縮性のあるゴム糸を用いる事である。伸縮性のゴム糸が中心部にある為、ネックレス本体に伸縮性の機能が発揮されて繰り返しの頚部への脱着が容易になる。また、脱着金具を必要としない為、金属アレルギーやペースメーカー使用時の制限も無くなる。更に、脱着金具の耐久性の心配も無くなる。
本発明の第２の特徴は、上記のゴム糸の外周部に糸状繊維を編み込んで一本の伸縮性のある丈夫な紐を作ることである。ゴム糸の外周部に糸状繊維を編み込むことにより、紐本体の引っ張り強度が増し、紐本体を細くできてネックレスを軽量化することが可能となる。従来品のネックレスは、シリコンゴム紐本体の直径が４ｍｍ程度を必要としていたが、本発明品は、直径２ｍｍ程度まで細くできる。断面積で１／４となり、従ってネックレスの製品重量も１／４と軽くなる。実際には、約１０ｇから約２．５ｇまで軽量化でき、頚部への重量負担が大幅に低減できる。
又、糸状繊維間には空隙があり、液状のシリコンゴムを含侵させることが可能となり第３の特徴を付加できる。
本発明の第３の特徴は、上記の紐に液状の硬化型シリコンゴムを含侵させた後に、固化させたシリコンゴム製の紐本体である。伸縮性や軽量化を図りながらも、頚部への皮膚接触部はシリコンゴムであり、皮膚に対するシリコンゴムの反応機能は変わらない。
第１から第３までの特徴を備えた構造のシリコンゴム製の健康ネックレスは、伸縮性による脱着の便利性のメリット・脱着金具なしの安全性や耐久性のメリット・軽量化による首への負担軽減や着け心地改善のメリットなど、従来商品の欠点を補ってくれる画期的な商品である。
尚、本体紐を実際に用いる時は、本体紐の両端同士を結んでネックレス状にして用いても良いし、プラスチック製の接続部品を用いてネックレス状にしても良い。
又、本体紐は、リストバンドや足首バンドやミサンガなどにも応用が可能である。
【図面の簡単な説明】
【０００６】
【図１】本発明の本体構造を示す説明図である。
【図２】本発明の本体構造のＡ−Ｂの断面図である。
【図３】本発明の頚部への実施形態を示す見取り説明図である。
【符号の説明】
【０００７】１、本体紐
２、本体紐の接続用プラスチック部品
３、ゴム糸
４、糸状繊維
５、シリコンゴム
【図１】
2019188106.tif 000003
【図２】
2019188106.tif 000004
【図３】
2019188106.tif 000005
(57)【要約】【課題】親水性を帯び、光触媒の機能を持つ素材を添加した、スキー、スノーボード等の光触媒を添加したソールを提供する。【解決手段】光触媒であり親水効果もある二酸化チタン、二酸化ジリコニウム、窒化チタンを添加したソールを作成する。二酸化チタン、二酸化ジリコニウム、窒化チタンを添加することで、ソールの摩擦係数を低下させ、親水効果により滑走時の乾燥摩擦を流体摩擦に変え、さらに、光触媒によりソールに汚れが付着することを防止できる。それによりスキー板、スノーボード等の滑走性能を向上させるようにした光触媒を添加したソール。【特許請求の範囲】
【請求項１】
原料及び化学合成、成形等の製造工程からやむなく混入してくる不純物以外の添加化合物を含まない、スキー、スノーボード等に使用する二酸化チタン、二酸化ジリコニウム、窒化チタンなどの光触媒を添加したソール。
【発明の詳細な説明】
【技術分野】
【０００１】  本発明は、二酸化チタン及び、二酸化ジリコニウム、窒化チタンなどの微粉末を使用したスキー、スノーボードなどのソールに関するものである。
【背景技術】
【０００２】  スキー板やスノーボード等は、雪面を滑走する目的で作られているが、より快適に滑走するために、ソール（滑走面）等の素材を従来の木材から、汚れに強く潤滑性も良好なポリエチレンに変える技術革新がなされた。しかし、ポリエチレン製のソールだけでは、十分な滑走性が得られない問題があり、そのため、ソールにパラフィン等の鉱物油、牛脂などの油脂成分をベースにして金属石鹸、シリコーン、ポリテトラフルオロエチレン（ＰＴＦＥ）を一例とするフッ素樹脂粉末、その他の潤滑性能を持つ物質を混合配合したもの等をスキー用ワックスと称し、これらをソールに塗布することで問題を解決してきた。【０００３】  また、従来のソールにも滑走性を高める目的でグラファイト粉末や、銅の粉末を添加したものが存在している。本発明者は、ソールそのものに光触媒を添加することとした。ソールに光触媒を予め添加することにより良好な滑走性を実現する。光触媒は、親水性に優れていて、防汚性にも優れている素材である。【０００４】  さて、スキーがどうして雪の上を滑るのかについては、未だに完全に解明されていないが、発明者の研究の結果、雪面に存在する水分が滑走を助けている事と、水分が完全に凍結した低温では、極めて滑りが悪くなることがわかった。そこで、親水素材をソールに塗りつけたところ、滑走性が良好になった。特に雨天など湿雪ではこの現象は顕著であった。
これは当然で、ソールと雪（氷）との間に、水分が入る流体摩擦の状態が、水分が失われる事で直接ソールと雪（氷）同士が触れあい、擦れあう乾燥摩擦の状態になるからである。このような状態では、摩擦による抵抗が増大し、良好な滑走性は望めない。【０００５】  従来の滑走理論では、滑走時に付着する余分な水分を、撥水素材等を利用して、弾く事で滑走性を得ようとしていた。しかしながら、スキーやスノーボードが雪面を滑走できるのは、上記のように雪面とソールの間に存在する水分のおかげである。撥水させるのではなく、親水素材を利用してソール上に薄く広い水膜を作って、なるべく、ソールと雪とが直接触れないようにしたほうが良い。なぜなら、ソールと雪（氷）との乾燥摩擦よりも、ソールに直接雪が触れることの少ない境界摩擦や流体摩擦の方が、摩擦による抵抗が小さいからである。もし、ソールの雪面との接触面全面に、水膜を貼る事ができれば、全くソールと雪が触れない流体摩擦の状態になり、滑走により発生する抵抗を、水の粘性だけにできる。水による流体摩擦の実現には、撥水性の素材よりも、水とよくなじむ親水性の素材の方が適している。
【発明の開示】
【発明が解決しようとする課題】
【０００６】  解決しようとする問題点は、二酸化チタン及び、二酸化ジリコニウム、窒化チタンの親水性を利用して、雪面に存在する水分を利用して乾燥摩擦を、流体摩擦や境界摩擦に変えることを目的としたソールを提供することである。また、近年は、雪が大気中に含まれる排気ガス等の影響で汚れており、ソールには防汚性に高い素材が求められており、本発明に使われる光触媒は最適である。
【課題を解決するための手段】
【０００７】  ポリエチレンで作られたソールに、高い親水性で知られている二酸化チタンや二酸化ジリコニウム、窒化チタンの微粉末を添加することで、雪面に存在する水分を拾ってソールが水の膜で覆われ、これにより摩擦係数が低下する。親水性により乾燥摩擦を、流体摩擦や境界摩擦に変える事ができり、滑走による摩擦は大きく軽減される。また本発明は光触媒を使用するため、防汚性に優れている。【０００８】  ソールそのものは、ペレット状のポリエチレンを、シリンダーや炉の中に入れ、ポリエチレンを融解したのち成型する方法が一般的である。鋳造するにせよ射出成型するにせよ、いずれもポリエチレンを融解させる工程が必要となる。この工程の際、本発明の二酸化チタン、窒化チタン、二酸化ジリコニウムを添加剤として混入することで、光触媒としての機能と、高い親水性を持つソールが得られる。また、ポリエチレンのペレットにあらかじめ本発明の添加剤を混入したものを使用する方法もある。
【発明の効果】
【０００９】  本発明は、ポリエチレンを主成分としたソールに、光触媒を添加することで、従来のソールにはない、強い親水性と防汚性を合わせ持たせたソールを提供することである。本発明により、従来のソールが持ちえなかった親水性による良好な滑走性と、防汚性を兼ね備えたソールが実現でき、スキー板やスノーボードの滑走性が著しく向上した。
【本発明を実施するための最良の形態】
【００１０】  本発明は良好な滑走性と防汚性を兼ね備えたソールであり、本発明を、スキー板、スノーボード等の芯材に張り付けて使用することが最良の形態である。本発明は、ソールの１種であり、貼り付け等の作業工程は、従来のソールに準じる。
【実施例】
【００１１】  ポリエチレンに、二酸化チタン、二酸化ジリコニウム、窒化チタンなどを合わせて１パーセント添加したものを本発明とし、ポリエチレンのみのソールを用意し、比較試験を実施した。なお、添加剤の比率は、それぞれ３分のずつとした。【００１２】  比較試験の結果、従来のポリエチレンのみのソールより、本発明のソールのほうが、滑走速度が速かった。特に、緩斜面においては、顕著であり、従来のソールを用いたスキー板は、緩斜面において板が止まりそうになったのに対して、本発明を用いたスキー板は、板が止まらず、斜面の先にあるリフト乗り場まで板が滑った。【００１３】  また、試験は何度か行い、本発明に使われるポリエチレンの分子量は、高いほど滑走性に優れているとの結果が出た。添加剤は、１パーセント〜２パーセントが適当であり、多すぎると滑走性が落ちてしまった。
【産業上の利用可能性】
【００１４】  本発明は、その産業上の利用には極めて大きいものがある。なぜならば、良好な滑走性を得るために、ワックスを必要としたスキー板やスノーボードが、ワックスを塗らなくても良好な滑走性が得られるからである。これにより、消費者は面倒なワクシングから解放され、快適にスキーやスノーボードを倒しむことができるようになった。
(57)【要約】【課題】  従来のスライド棚は、什器本体へ取り付けするための棚受けを両側に一体的に備えたベース部と、該ベース部にコロ又はスライドレールを介して載置された専用の棚板とからなるため、製作コスト、運搬、搬入のコストが割高となり、また既存什器の棚との交換の際には、既存の棚板は多くの場合廃棄処分とせざるを得なかった。【解決手段】  上記の課題を解決するため、左右一対の水平棚受けにそれぞれスライドレールを介して棚板支持部材を係止し、既存の棚板をそのまま載置してスライド棚として使用できる構成のスライド棚用棚受けを提供する。【選択図】図１
2019188105.tif 000002
【特許請求の範囲】
【請求項１】
商品大量陳列什器（ゴンドラ什器）に使用されるスライド棚に於いて、棚板を脱着自在に載置する棚板支持部材が、什器本体の支柱に取り付けされる水平棚受けとスライドレールを介して摺動自在に係合されたことを特徴とする一対のスライド棚用棚受け
【請求項２】
棚板支持部材が長手方向に沿ってクランク状に一体的に形成され、一片が棚板裏面に当接保持する棚板支持部となり、他片がスライドレールの内レールに螺着されることを特徴とする請求項１に記載のスライド棚用棚受け
【請求項３】
クランク状に形成された棚板支持部材の棚板支持部が、スライドレールの外レールに螺着された水平棚受けと、鉛直線上縦並びの位置に構成されることを特徴とする請求項１に記載のスライド棚用棚受け
【発明の詳細な説明】
【技術分野】
【０００１】  本発明は、スーパー、コンビニ等に多用される商品大量陳列什器（ゴンドラ什器）のスライド棚に関するものである。
【背景技術】
【０００２】  近年、スーパー、コンビニ等の小売店の商品大量陳列什器（ゴンドラ什器）の商品陳列は、商空間の効率化及び消費者の高密度陳列を好む傾向を背景に、棚の段数を増やし、商品の隙間を無くす陳列方法へと移行している。【０００３】  棚板の段数を増やし、商品が隙間なく並べられると、各棚奥への補充商品の陳列が難しくなったため、必要に応じて各棚板が前側に引き出せるスライド棚の開発が求められ、既存店に於いては既存の固定式棚板との交換が急務となっている。
【先行技術文献】
【０００４】  完成されたスライド棚の例としては、平成２３年１２月８日公開の「スライド棚及び商品陳列棚」が挙げられる。
【特許文献】
【０００５】
【特許文献１】特開２０１１−２４５２２２号
【発明の概要】
【発明が解決しようとする課題】
【０００６】  これらの先行技術に於いては、スライド棚は什器本体へ取り付けするための棚受けを両側に一体的に備えたベース部と、該ベース部にコロ又はスライドレールを介して載置された専用の棚板とからなるため、製作コストがかさむばかりか、運搬、搬入のコストも割高となり、また既存什器の棚との交換の際には、既存の棚板は多くの場合廃棄処分とせざるを得なかった。
【課題を解決するための手段】
【０００７】  上述の課題を解決するため、本発明では、左右一対の棚受けで既存の棚板をそのまま載置し、スライド棚として使用するスライド棚用棚受けを提供する。【０００８】  本発明のスライド棚用棚受けは、什器本体の支柱に取り付けされる水平棚受けにスライドレールの外レールを螺着し、長手方向に沿ってクランク状に折られた棚板支持部材の一片に、該スライドレールの内レールを螺着すると共に、他片を棚板支持部とし、左右一対で棚を保持する棚受けである。【０００９】  さらに、本発明のスライド棚用棚受けは、クランク状に形成された棚板支持部材の棚板支持部が、水平棚受けと鉛直線上に縦並びの位置になるよう構成されているため、既存の棚板が水平棚受けに設置されたのと同位置に載置されることとなり、該スライド棚用棚受けに設置するだけで、スライド棚として使用できるのである。
【発明の効果】
【００１０】  本発明に係るスライド棚は上述のような構成であるため、従来のスライド棚と比較して、新たに棚板を製作する必要がないため、大幅な製作コスト削減、また棚受け部分のみを既存店舗へ送るため、運搬コストの大幅削減、さらに既存の棚板の廃棄が必要ないため、環境にやさしく省資源という三重の効果が期待できる。【００１１】
【図面の簡単な説明】
【００１２】
【図１】本発明のスライド棚用棚受けと棚板の片側部分を示す正面断面図
【図２】本発明のスライド棚用棚受けと棚板を示す側断面図
【発明を実施するための最良の形態】
【００１３】  本発明の実施に於いて最良の形態は、ほぼ上記図面に示す通り既存の棚板をそのまま使用すると共に、什器本体に取り付けられる水平棚受けとスライドレールを介して摺動自在に係合された断面形状クランク型の棚板支持部材とからなる一対のスライド棚用棚受けで構成されるスライド棚である。
【実施例】
【００１４】  以下、本発明に係るスライド棚用棚受け１を図面に示す実施例に基づいて詳細に説明する。図１及び図２の断面図に示す棚板１０は固定棚として使われていた既存の棚板を転用したものであり、本発明の棚板支持部材２０の棚板支持部２１に載置されている。【００１５】  棚板支持部材２０は長手方向に沿ってクランク状に折られた一体型で、一片にスライドレール３０の内レール３１を螺着すると共に、他片は棚板支持部２１として小口が棚板１０の裏面に当接している。【００１６】  また、該スライドレール３０の外レール３２が、スライド棚を什器本体の支柱に取り付けるための水平棚受け４０に螺着されることにより、棚板支持部材２０と該水平棚受け４０は摺動自在に係合される。【００１７】  既存の棚板１０は、スライド棚用棚受け１に脱着自在、且つ安定的に載置されるが、什器本体の支柱に取り付けられた水平棚受け４０と棚板保持部材２０との間に設けられたスライドレール３０の働きにより、必要に応じて手前に引き出して使用できる。
【産業上の利用可能性】
【００１８】  前述の通りスーパーやコンビニ等の小売店の新店出店では、既に商品大量陳列什器（商品ゴンドラ）の棚について、スライド棚を多用することが進められており、既存店に於いても今後、既存の棚をスライド棚に交換する動きが活発化することは間違いなく、コストが大幅に軽減される本発明に係るスライド棚が大いに利用されることなると予想される。
【符号の説明】
【００１９】  １  スライド棚用棚受け
１０  棚板
２０  棚板支持部材
２１  棚板支持部
２２  ネジ
３０  スライドレール
３１  内レール
３２  外レール
４０  水平棚受け
【図１】
2019188105.tif 000003
【図２】
2019188105.tif 000004
(57)【要約】      （修正有）【課題】宴会場や店内をゆっくりと自走し、飲料を提供できる自走式の飲料ディスペンサ装置の提供を目的とする。【解決手段】飲料を提供するディスペンサであって、自走可能な台車１０にサーバー３０を取り付けてあり、前記台車１０は旋回可能であることを特徴とする。【選択図】図１
2019188889.tif 000002
【特許請求の範囲】
【請求項１】
飲料を提供するディスペンサであって、
自走可能な台車にサーバーを取り付けてあり、
前記台車は旋回可能であることを特徴とする自走式飲料ディスペンサ装置。
【請求項２】
前記自走可能な台車は左右のそれぞれ中央部に相互に独立した駆動輪と前後のそれぞれに水平方向旋回自在に取り付け自由輪からなることを特徴とする自走式飲料ディスペンサ装置。
【請求項３】
前記サーバーはビールサーバーであることを特徴とする請求項１又は２記載の自走式飲料ディスペンサ装置。
【発明の詳細な説明】
【技術分野】
【０００１】
本発明は、自動走行制御された状態で飲料を移動提供できる自走式の飲料ディスペンサ装置に関する。
【背景技術】
【０００２】
宴会場やバイキング方式の飲食店等においては、発泡飲料をジョッキに注ぎ、上部に適度の泡を生じさせるビールサーバー（特許文献１）や、ジュース等をグラス等に注ぐジュースサーバーが設定されている。
この場合に、店員がオーダーに応じてサーバーからビールをジョッキに注ぎ、あるいはジュースをグラスに注ぎ、お客様の席まで運ぶか、お客様が自らサーバーまで足を運び、ビールやジュースを注ぐことになる。
店員が運ぶ場合には、人件費が高くなり、お客様が自ら足を運ぶのは不便である。
【０００３】
そこで本発明者は、省人化が可能でお客様にも不便をかけない飲料ディスペンサ装置を検討した結果、本発明に至った。
【先行技術文献】
【特許文献】
【０００４】
【特許文献１】特開２００６−１６０８３号公報
【発明の概要】
【発明が解決しようとする課題】
【０００５】
本発明は、宴会場や店内をゆっくりと自走し、飲料を提供できる自走式の飲料ディスペンサ装置の提供を目的とする。
【課題を解決するための手段】
【０００６】
本発明に係る自走式飲料ディスペンサ装置は、飲料を提供するディスペンサであって、自走可能な台車にサーバーを取り付けてあり、前記台車は旋回可能であることを特徴とする。
ここで台車は、宴会場や店内を所定のルートに沿って旋回しながら自動走行する。
人の動きや障害物を検知するのに台車の前後には、センサーを設けてあるのが好ましい。
【０００７】
サーバーの注出口は、一方の面にのみ設けられているのが一般的であり、台車が一定の位置でそのまま旋回したり、進行方向をほぼ直角に変更できるのが好ましい。
そこで、自走可能な台車は左右のそれぞれ中央部に相互に独立した駆動輪と前後のそれぞれに水平方向旋回自在に取り付け自由輪からなるのがよい。
【０００８】
本発明に係る自走式飲料ディスペンサ装置は、各種飲料の提供に適用できるが、宴会場での消費量が多いビールサーバーに好適である。
【発明の効果】
【０００９】
台車の旋回性に優れるので宴会場や店内をゆっくり走行し、お客様がタッチ等のオーダーサインを出せば走行を一旦停止し、ジョッキやグラス等にお客様自身で飲料を注ぐことができる。
これにより、お客様の要求に対して迅速に対応でき、販売側からすると大きな省人化を図ることができる。
【図面の簡単な説明】
【００１０】
【図１】本発明に係る自走式飲料ディスペンサ装置の正面視を（ａ）に、側面視を（ｂ）に示す。
【図２】台車の底面に設けた車輪構造を示し、（ａ）〜（ｃ）は旋回の動きを示す。
【発明を実施するための形態】
【００１１】
本発明に係る自走式飲料ディスペンサ装置をビールサーバーに適用した例で以下説明する。
【００１２】
自走式の台車１０の上に枠体２０を取り付け、この枠体２０にビールのサーバー３０を設けた例になっている。
枠体２０の内側には、ビールタンク（ビールタル）２、発泡用の炭酸ガス容器（ボンベ）４、及びバッテリー等の電源部３を有する。
また、本装置を自動制御するための制御部５を有する。
サーバー３０の正面には、ジョッキ１の受け部３１と注出口３２を有し、ビールを注ぐ操作ボタン（レバー）３０を有している。
【００１３】
本発明は、自走式の台車１０に特徴がある。
台車１０は、略長方形の外形を有し、左右両側のサイド部であって、前後方向の中央部にそれぞれ第１モーター１１ａにて回転制御された第１駆動輪１２ａと、第２モーター１１ｂにて回転制御された第２駆動輪１２ｂを有し、それらは相互に独立して前後方向に駆動可能になっている。
また、台車１０の前側端部に水平方向に旋回自在の第１自由輪１３ａが取り付けられ、後側の端部に水平方向に旋回自在の第２自由輪１３ｂが配置される。
図２は、台車１０の底部を下側から見た図を表してあり、左右の一対の第１及び第２駆動輪１２ａ，１２ｂを相互に反対方向に回転させると、図２（ｂ），（ｃ）に示すようにその位置で台車１０が旋回することができる。
これにより、台車１０の旋回及び走行自由度が高くなり、旋回により直角方向に進行方向を変更したり、１８０度旋回することもできる。
【００１４】
台車１０の周囲には、複数のセンサー１４ａ〜１４ｄを取り付けてあり、人の動きや障害物をセンサーで検知しながらゆっくりと自走する。
お客様がサーバー等にタッチすると、それを感知し停車する。
必要に応じて音声ガイダンスを流してもよく、ジョッキ１を受け部３１に載置すると、自動で所定の量のビールがジョッキに注がれる。
【００１５】
台車の自走ルートは、会場内の位置データにて制御したり、所定の軌道を感知しながら走行するようにしてもよい。
【符号の説明】
【００１６】
１        ジョッキ
２        ビールタンク
３        電源部
４        炭酸ガス容器
５        制御部
１０      台車
１１ａ    第１モーター
１１ｂ    第２モーター
１２ａ    第１駆動輪
１２ｂ    第２駆動輪
１３ａ    第１自由輪
１３ｂ    第２自由輪
１４ａ    センサー
２０      枠体
３０      サーバー
【図１】
2019188889.tif 000003
【図２】
2019188889.tif 000004
(57)【要約】【課題】本発明は、高温多湿時の作業において、約１リットルの経口補水液を充填し凍らせたボトルを首筋に装着し、冷却効果を一連続作業時間約２時間持続させ、作業能率を向上させるとともに、ボトル内の経口補水液を摂取することで熱中症を予防する、熱中症予防アイテムを提供する。【手段】ポリエチレンテレフタラートを材料に、首の周囲にフィットする形状にボトル（１）を成形し、当該ボトル（１）容量を１リットル以内とし、ボトル内の内容液を補充・排出並びに洗浄できるようにボトル（１）本体の両端に１ヶ所ずつ蓋キャップ（２）を設け、経口補水液を充填する。  また、凍ったボトルが皮膚に直接触れ、軽度の凍傷が発症するのを防止するため、ボトル（１）をチューブ型伸縮性包帯様（３）の中に入れてくるみ、首周りに巻き付け首筋からずれ動かないように喉元付近に着脱可能な面ファスナー（４）で結合させる。【選択図】図３
2019188100.tif 000002
【特許請求の範囲】
【請求項１】
ドリンクボトル（以下「ボトル」という。）（１）本体の両端に１ヶ所ずつ蓋キャップ（２）を設け、ボトル（１）をチューブ型伸縮性包帯様（３）の中へ入れ、喉元を面ファスナー（４）で結合、ボトル（１）の入ったチューブ型伸縮性包帯様（３）を着脱可能にした。以上よりなるボトル形ネッククーラーである。
【発明の詳細な説明】
【技術分野】
【０００１】  本発明は、屋内外を問わず、高温多湿及び真夏日（最高気温が３０度以上）、猛暑日（３５度以上）の作業において、首筋に装着して頸動脈を流れる血液を冷やし、体温を持続的に恒温に保つとともに、発汗で失われる体液をボトル内に充填された塩分（ナトリウム）及び糖分などを含んだ経口補水液を容易かつ迅速に経口補水できる、熱中症を予防するドリンクボトル（以下「ボトル」という。）形ネッククーラーに関するものである。
【背景技術】
【０００２】  従来型保冷剤の入ったネッククーラー（商標：首筋クーラー、冷却スカーフ、クールマフラー）等は、高温多湿の梅雨の晴れ間、梅雨明けの蒸し暑い時期及び真夏日、猛暑日における刈払機を用いた除草作業において、装着して間もなくして保冷・冷却効果が急速に低減するとともに、遠隔の造林地等の下刈作業の場合では、刈払機の操作者双方が相当な距離間隔をとり１日約２時間の一連続作業に休止時間を設けながら作業を行う。
すると、従来型のネッククーラー及び経口補水液を相当数クーラーボックスに入れ持参し、当該作業場の列中央後方に置き、かつ作業中は作業者が経口補水液の入ったペットボトル数本を身体に携帯しなければならなかった。
【発明の概要】
【発明が解決しようとする課題】
【０００３】  従来型のネッククーラー等は、次のような欠点があった。
（イ）、真夏日、猛暑日において、装着して１５分程度で保冷効果が著しく低下消滅してしまうので、凍らせた当該ネッククーラーを相当数クーラーボックスにストックして作業場所まで持ち歩かなければならない。
（ロ）、経口補水液は、従来型ネッククーラー等とは別に、持参しなければならなかった。
本発明は、これらの問題点を解決するためになされたものである。
【課題を解決するための手段】
【０００４】  合成樹脂（プラスチック）の一種であるポリエチレンテレフタラート（ＰＥＴ）を材料に、首の周囲にフィットする形状にボトル（１）を成形し、当該ボトル（１）容量を０．５リットル〜１リットルとし、ボトル内の経口補水液を補充・排出並びに洗浄できるようにボトル（１）本体の両端に１ヶ所ずつ蓋キャップ（２）を設け、経口補水液を充填する。
また、凍ったボトルが皮膚に直接触れ寒冷によって、皮膚の血管などの組織が損なう軽度の凍傷（凍そう）が発症するのを防ぐため、ボトル（１）をチューブ型伸縮性包帯様（３）の中に入れ、首周りに巻き付け首筋からずれ動かないように喉元付近に着脱可能な面ファスナー（４）で結合させる。
さらに、当該ボトル自重を首の付け根の両肩に分散支持できるので、その負担を軽減できる。ボトルサイズは子供・女性・男性用等とする。
本発明は、以上の構成よりなるボトル形ネッククーラーである。
【発明の効果】
【０００５】  本発明を使用することによって、経口補水液の入ったペットボトル相当数を身体に携帯する必要がなくなり、首筋を長時間冷やせるとともに、発汗で失われた体液を、ボトル内に詰めた経口補水液で容易かつ迅速に補い、真夏日の熱中症予防対策に効果的である。
また、遠隔地の作業において、相当数のネッククーラー等及び経口補水液を携行する手間が省けるとともに、休止時間を設けながらの、一連続作業時間約２時間の効率的な作業が可能になる。
【図面の簡単な説明】
【０００６】
【図１】本発明の斜視図
【図２】本発明のチューブ型伸縮性包帯様の斜視図
【図３】本発明の使用状態を示す斜視図
【発明を実施するための形態】
【０００７】以下、本発明の実施の形態を説明する。
（イ）、ボトル（１）内に経口補水液を補充・排出並びに洗浄できるようにボトル（１）本体の両端に蓋キャップ（２）を１ヶ所ずつ設ける。
（ロ）、ボトル（１）内の経口補水液が膨張するのに伴い、若干空間を設け、ボトル（１）を凍らせ、それが直接皮膚に触れないようにチューブ型伸縮性包帯様（３）の中に入れ包み込む。
（ハ）、ボトル（１）の入ったチューブ型伸縮性包帯様（３）の喉元付近に面ファスナー（４）（商標：マジックテープ、ベルクロ）を縫い付け、首筋からずれ動かないように結合するとともに、チューブ型伸縮性包帯様（３）にくるんだボトル（１）を着脱可能にする。
【符号の説明】
【０００８】  １  ボトル
２  蓋キャップ
３  チューブ型伸縮性包帯様
４  面ファスナー
【図１】
2019188100.tif 000003
【図２】
2019188100.tif 000004
【図３】
2019188100.tif 000005
(57)【要約】【課題】トイレの紙巻器に収納されているトイレットペーパを使用する時、トイレットペーパの押え板を手で持ち上げ、持ち上げた時にトイレットペーパも同時に持ちあがってしまう時もあり、再度やりなおして、片方の手でトイレットペーパを廻押して必要な分だけ送り出し、トイレットペーパ押さえ板を押えてトイレットペーパを切り離して使用していた、又、同じ所を何回も触れるので衛生的にも良い状態ではなかった、本発明は以上の問題点を解決する為になされたものである。【解決手段】トイレ紙巻器のトイレットペーパの上部に付属している、トイレットペーパ押え板の一部にトイレットペーパを指で廻押して送り出しの出来る、開口部分を設けたことを特徴とするトイレ紙巻器。【選択図】図１
2019188097.tif 000002
【特許請求の範囲】
【請求項１】
トイレ紙巻器のトイレットペーパの上部に付属している、トイレットペーパ押え板の一部に開口部分を設けたトイレ紙巻器。
【発明の詳細な説明】
【技術分野】
【０００１】本発明はトイレ紙巻器に関するものである。
【背景技術】
【０００２】従来から、トイレ紙巻器のトイレットペーパを使用する時、紙巻器の上部に付属している、押え板を手で持ち上げて片方の手で、トイレットペーパを廻して送り出して使用していた。
【発明の概要】
【発明が解決しようとする課題】
【０００３】トイレの紙巻器に収納されているトイレットペーパを使用する時、トイレットペーパの押え板を手で持ち上げ、持ち上げた時にトイレットペーパも同時に持ちあがってしまう時もあり、再度やりなおして、片方の手でトイレットペーパを廻押して必要な分だけ送り出し、トイレットペーパ押さえ板を押えて、トイレットペーパを切り離して使用していた、又、同じ所を何回も触れるので衛生的にも良い状態ではなかった。
【課題を解決するための手段】
【０００４】前記問題点を解決する為に、本発明はトイレ紙巻器に収納されているトイレットペーパの上部に付属しているトイレットペーパ押え板の、一部に開口部分を設けたものである。
【発明の効果】
【０００５】トイレの紙巻器に収納されているトイレットペーパの上部に付属している、トイレットペーパ押え板の一部に開口を設けたので、トイレットペーパ押え板を手で持ち上げることなく、トイレットペーパ押え板に設けた開口部分より、トイレットペーパを指で廻押して必要な分だけ送り出すことができるため、トイレットペーパ押え板はトイレットペーパの切り離しの時だけ触れるので、非常に衛生的で小人でも簡単にトイレットペーパの送り出す事が出来るようになった。
【図面の簡単な説明】
【０００６】
【図１】  本発明のトイレ紙巻器本体斜視図
【図２】  本発明のトイレットペーパ押え板上面図
【発明を実施するための形態】
【０００７】以下本発明の実施の形態を説明する。
トイレ紙巻器（１）に収納されているトイレットペーパ（２）の上部に付属している
トイレットペーパ押え板（３）の一部に開口部分（４）を設けた。
本発明は以上のような構造である。
本発明を使用する時はトイレ紙巻器（１）に収納されているトイレットペーパ（２）の上  部に付属しているトイレットペーパ押え板（３）の一部に設けた開口部分（４）から見  える、トイレットペーパ（２）部分を指で廻押して、トイレットペーパ（２）を必要な  分だけ送り出して、トイレットペーパ押え板（３）を押えて、トイレットペーパを切り  離して使用する。
【符号の説明】
【０００８】  １、トイレ紙巻器    ２、トイレットペーパ    ３、トイレットペーパ押え板
４、開口部分
【図１】
2019188097.tif 000003
【図２】
2019188097.tif 000004
(57)【要約】      （修正有）【課題】使用可能なトイレットペーパーが無くなった後、トイレットペーパーを交換し終えるまでの手順と時間、用をたした後の不衛生な時間の短縮化を可能とするトイレットペーパーホルダーを提供する。【解決手段】トイレットペーパーや筒状製品を装填する場所を複数化する事で、トイレットペーパーの多装填を可能にし、使用時に不足状態となる機会を減らし、トイレットペーパーを装填した軸を可動式にして、装填したトイレットペーパーを使用しやすくする。【選択図】図１
2019188092.tif 000002
【特許請求の範囲】
【請求項１】
トイレットペーパー使用時にトイレットペーパーの回転軸を２数以上本有している。
【請求項２】
軸の取替えや付け替えによって筒状製品（商品）の装填が容易であり、事前装填や取り外しも可能である。
【発明の詳細な説明】
【技術分野】
【０００１】  トイレットペーパーの事前多装填と使用準備が容易なトイレットペーパーホルダーに関する物であ
【背景技術】
【０００２】  日常生活の中でトイレットペーパーを使用する場面は非常に高く、トイレットペーパーの装填や使用までの準備の回数も多い。
住宅事情で狭いトイレの上段やトイレの外にトイレットペーパーを保管する家庭もある事から、トイレットペーパー交換時の手間は使用者の不快な時間を長引かせるだけでなく、不衛生な時間が長引くことにも繋がる。【０００３】本発明は、軸を機転に回転させて使用するトイレットペーパーや筒状製品（商品）用の装填軸を増やす事で使用前に装填する機会や数を増やし、軸を可動式にする事で、装填したトイレットペーパーや筒状製品を容易に使用しやすい状態に移行できる発明である。【０００４】トイレットペーパーに関してはＪＩＳ  Ｐ４５０１の大きさに基づいた設計としている。
【発明の概要】
【発明が解決しようとする課題】
【０００５】  使用可能なトイレットペーパーが無くなった後、トイレットペーパーを交換し終えるまでの手順と時間が課題となる。
用をたした後の不衛生な時間の短縮が課題となる。
一般的住宅事情のトイレで、トイレットペーパーの保管、及び装填場所が課題となる。
【発明を解決するための手段】
【０００６】  本発明は、トイレットペーパーを装填する軸を複数にする事で、トイレットペーパーの多装填を可能にし、使用時に不足状態となる機会を減らす。
トイレットペーパーを装填した軸を可動式にする事で、装填したトイレットペーパーを使用しやすくする特徴を有する。
【発明の効果】
【０００７】トイレットペーパー交換の手間と時間を短縮化、簡略化することで使用者がより時間を要さずに後処理へ移行できる。
不衛生な時間の短縮化で菌との接触時間も減らせる。
【図面の簡単な説明】
【０００８】
【図１】  多装填式トイレットペーパーホルダーの実施方法と設計図（壁設置型）である。
【図２】  多装填式トイレットペーパーホルダーの実施方法と設計図（置き型）である。
【発明を実施するための形態】
【０００９】トイレットペーパーを含む筒状製品の長さに合わせた軸となる突起を風車状に形成し、風車状の突起を一定の角度に回転させ停止できるダイヤル型とする事で、押して回す程度の手順で容易に回転させる事が可能となる。
突起の停止角度は９０度とし、左右上にトイレットペーパーを含む筒状製品を装填でき、使い終えたトイレットペーパーの芯を回転させることで、重力により触らずに外す事も可能。
ダイヤルは風車部分とは別の場所にバネと小さな突起と空間の組み合わせで構造する。
図１、図２は使用イメージと設計図である。
【実用例１】
【００１０】図１、図２の使用イメージの通り、一定方向に風車部分を押しまわす事で、突起部分を回転させて未使用のトイレットペーパーを使用可能状態にする。
【産業上の実用可能性】
【００１１】本発明は、
増えつつある狭小トイレに対して機能を発揮する為、日本国のトイレスペース、バストイレ共通のトイレに対して有効と考えられる。
コンパクト化を更に進めることで、更なる狭小トイレや、バストイレ共通のトイレでも機能を十分要した製品を開発できる可能性を秘めており、簡素的なトイレットペーパーホルダーから風車型のデザインとしたことで、インテリアとしても取り入れやすいデザインになる。
【図１】
2019188092.tif 000003
【図２】
2019188092.tif 000004
(57)【要約】      （修正有）【課題】洗濯後の衣類を迅速に、しかも定型に畳むための衣類折り畳み用板を提供する。【解決手段】フック付き衣類折り畳み用板は、上端にはフック１を設け、左右の上部は角切りを施した形状を有する。洗濯後の衣類はハンガーに掛け、物干し竿やロープに吊るすが、この時、本発明のフック付き衣類折り畳み用板も一緒に吊るしておく。衣類が乾燥したら、衣類と一緒にフック付き衣類折り畳み用板を回収し、折り畳み作業を行う。衣類の左右正中部にフック付き衣類折り畳み用板の正中線４が重なるようにした状態で、左右の袖を折り曲げ、最後に尾側部分を折り曲げるが、その際、高さを一定にするため、予め設定されている目盛り３を参照し、希望の高さになるように折り曲げる。その後、吊り下げ用フック１を抜き取る。衣類はすべて同一の形状に折り畳むことができるため、タンスなどへの収納が容易となる。【選択図】図１
2019188095.tif 000002
【特許請求の範囲】
【請求項１】
フックを設けた衣類折り畳み用板。
【発明の詳細な説明】
【技術分野】
【０００１】  この発明は、洗濯後の衣類を定型に畳むための型板に関するものであり、物干し竿に吊るしておくフックを装備したフック付き衣類折り畳み用板に関するものである。
【背景技術】
【０００２】  従来、衣類の折り畳み作業を迅速に行うため、長方形の板を用いて衣類の折り畳みおよび個々の袋詰めを行ってきた。
【先行技術文献】
【０００３】
【特許文献１】実用新案登録第３１７１６２８号
【非特許文献１】なし
【発明の概要】
【発明が解決しようとする課題】
【０００４】  これには次のような欠点があった。
（イ）衣類折り畳み用板を衣類とは別に収納する必要があった。
（ロ）洗濯した衣類を自然乾燥させ、十分乾燥したことを確認するのと同時に、遅滞なく定型に折りたたむことが不可能であった。
（ハ）折り畳み用の板を引き抜く際、角が衣類に引っ掛かり、衣類を損傷することがあった。
（ニ）畳んだ衣類を定型の袋に個別梱包する業務を円滑に行うことを目的としたものであったため、個人消費者が複数の異なった衣類をタンスに収納する上ではむしろ不便であった。
本発明は、以上のような欠点をなくするためになされたものである。
【課題を解決するための手段】
【０００５】  洗濯後の衣類を自然乾燥させる場合、ハンガーなどを用い、物干し竿やロープに吊るして一定時間放置するのが一般的である。衣類が十分乾燥し、収納可能な状況になったことを確認するのと同時に折り畳み作業に着手することにより、作業時間の短縮化が図れる。本目的を達成するため、乾燥前の洗濯物と同一の場所に吊るしておけるフックのついた衣類折り畳み用板を発明した。
本発明は、以上の構成よりなるフック付き衣類折り畳み用板である。
【発明の効果】
【０００６】  （イ）遅滞なく迅速に乾燥後の衣類を畳める。
（ロ）洗濯後の衣類を定型に畳める。
（ハ）衣類の破損を防げる。
（ニ）異なった形状の衣類を同一の形に重ねて収納できる。
【図面の簡単な説明】
【０００７】
【図１】本発明のフック付き衣類折り畳み用板の構成を示す正面図である。
【図２】本発明のフック付き衣類折り畳み用板の使用方法を示す説明図である。
【発明を実施するための形態】
【０００８】  以下、本発明を実施するための最良の形態について説明する。
洗濯の後、衣類はハンガーに掛け、物干し竿やロープに吊るす。この時、本発明のフック付き衣類折り畳み用板も一緒に吊るしておく。
衣類が乾燥したら、衣類と一緒にフック付き衣類折り畳み用板を回収し、折り畳み作業に着手する。
衣類の左右正中部にフック付き衣類折り畳み用板の正中線（４）が重なるようにする（［図２ａ］）。左右の袖を折り曲げ（５）、最後に尾側部分を折り曲げる（６）。その際、高さを一定にするため、予め設定されている目盛り（３）を参照し、希望の高さになるように折り曲げる。最後に、吊り下げ用フック（１）を抜き取り、折り畳みが完了する。その際、衣類の袖部分やボタンなどの突起物を考慮し、長方形ではなく左右上方の角切りをし、衣類が板にひっかからない構造となっている（２）。同様の作業を異なったサイズ、形状の衣類に対して行う。ボタンなど突起物があっても角切りをしているため、板の位置調整および抜き取りを行う際に、衣類を損傷せずに作業が行える。衣類は異なっていても、各人が使用する衣類はすべて同一の形状に折り畳むことができるため、タンスなどへの収納が容易となる。
本発明は、以上のような構造からなるフック付き衣類折り畳み用板である。
【符号の説明】
【０００９】１  吊り下げ用フック
２  角切り
３  高さ調整用目盛り
４  正中線
５  左右の折り曲げライン
６  尾側の折り曲げライン
【図１】
2019188095.tif 000003
【図２】
2019188095.tif 000004
(57)【要約】      （修正有）【課題】スコアボードを使ってする、リアルタイムなプロ野球ゲームを予想するゲームを提供する。【解決手段】裏表延長も含め横長に１２エリアが連なるスコアボードは、言わば丸いルーレット版を横長に伸ばしたようなものである。どのポケットに落ちるか予測が付かない、ディーラーが投げ入れるボールは、９イニングまでの何時何処で飛び出すか分からないホームラン（＝ファインプレー）に置き換えることができる。このファインプレーの出るイニングと、ファインプレーヤ―を予想するゲームで、ＴＶ桟敷ではリモコンのＤボタン等を使って、イニング数と背番号を直接入力した結果に拠って、スタジアムイベントでは座席番号の下二桁（背番号）乃至一桁（イニング数）を使って、それらがファインプレーにフィットした場合に景品をゲットできるシステム。座席番号を使うスタジアムイベントでは、ゲーム専用チケットを仕立て、球団収益のアップを図れる。【選択図】図１
2019188076.tif 000002
【特許請求の範囲】
【請求項１】
TV桟敷でリモコンのDボタン・チャンネルボタンを使ってするゲーム予想
【請求項２】
紙幣の通し番号・スタジアムの座席番号を使ってするリアルタイムなゲーム予想
【請求項３】
TV桟敷・スタジアム両面で、運転免許証や各種カードの下二桁乃至一桁を使ってするゲーム予想
【発明の詳細な説明】
【技術分野】
【０００１】
本発明は、テレビ桟敷でも臨場感を以ってプロスポーツ観戦を満喫できる、テレビリモコンのDボタン活用法、及び配当ポイント付与システムである。
【背景技術】
【０００２】
近年データ放送の旗頭として、技術開発が著しいハイブリッドキャストは、TVリモコンの青・赤・緑・黄４つのDボタンを使って、テレビ桟敷とステーションを双方向に結ぶ、革新的な通信手段である。これに１〜１２まで配列されるチャンネルボタンを動員して行う野球ゲームが、本発明の柱である。それも、システマティックに組まれた本来のゲームとは全く趣を異にする、現在進行中の生のゲームを対象とするものなのである。
【先行技術文献】
【特許文献】
【０００３】
特許出願番号２０１６−０８０６９８
【発明の概要】
【発明が解決しようとする課題】
【０００４】
従来の野球中継は実況中継の域を出ないものばかりで、同様の実況でも競馬中継のように、レースに漂う緊迫感が表現し難いものなのである。これにはたった一枚の馬券の存在が影響している。競馬ファンと出走馬を繋ぐたった一枚が、競馬中継の根幹を成していることを思えば、うなずける相違である。残念ながら、見せ場が多岐に渡る野球ゲームに、勝ち負けだけを競うレースの醍醐味は持ち込めない。勝負一点張りの臨場感で競馬中継に劣る、野球中継に必要なものは、個々のプレーを堪能させる新たな臨場感なのである。
【課題を解決する為の手段】
【０００５】
その新たな臨場感の演出者はスコアボードである。裏表延長も含め横長に１２エリアが連なるスコアボードは、言わば丸いルーレット版を横に伸ばしたようなものである。二段重ねの裏表は、赤と黒が交互に連なるポケットそのもの。どのポケットに落ちるか予測が付かない、ディーラーが投げ入れるボールは、９イニングまでの何時何処で飛び出すか分からないホームラン（＝ファインプレー）に置き換えることができる。
ネット上で会員登録を済ませた視聴者には、ホームランを期待できる打者の背番号と予想イニングを、試合展開に応じて、チャンネルボタンを使って入力させ、予想が的中した視聴者にはポイント付与システムを使って、ポイントを支給するものとする。一方、リアルタイムなゲーム効果で、臨場感が増した実況中継は、安定した高視聴率をマークできる。
【発明の効果】
【０００６】
デジタル仕様のシステムを、スタジアムイベント用にアナログ仕様に切り替え、球団収益に寄与させる。Dボタン・チャンネルボタンに置き換えられるものは、常備している紙幣を置いて他にない。これによって当該紙幣を使わずして景品を得られる、利得感を動機付けに使える。座席番号の活用も加えて、背番号にはその下二桁を、イニング数にはその下一桁を当て嵌めることが出来る。図１・２に示す、該当プレーに対する背番号フィット率／イニングフィット率を使って楽しむ、スタジアムイベントへの参加権を設定したチケットを、割増しで販売することに拠って、球団収益の確実なアップが図れる。
【図面の簡単な説明】
【０００７】
【図１】本発明におけるゲーム確率（背番号フィット率）
【図２】本発明におけるゲーム確率（イニングフィット率）
【図３】本発明に活用するスコアボードの機能図
【発明を実施する為の形態】
【０００８】
図１に示すゲーム確率・背番号フィット率は、当該背番号の選手が打席に立った時点で、その結果であるファインプレーが当該試合に出るか出ないか、TV桟敷では出る方に張る視聴者のみが、チャンネルボタンを使ってその背番号を入力する。一方、スタジアムゲームでは、指定された額の紙幣の通し番号の、下２桁が当該背番号にフィットした観客のみが、当該設定場面のゲーム予想に参加できるものとする。
尚、懸賞・景品を充分確保した上で、免許証番号、各種カード等に記載の同じ条件の番号を使って参加できる、TV桟敷のアナログゲームの導入も可能である。
【図１】
2019188076.tif 000003
【図２】
2019188076.tif 000004
【図３】
2019188076.tif 000005
(57)【要約】【課題】腰痛防止になる心地よい揺れを起こしながらパソコン操作等ができる椅子を提供する。【解決手段】椅子部（８）を座部（３）、腰当（１）、腹当（２）、脚部（４）で構成し、該座部（３）の上部の両端部近傍に腰当（１）と腹当（２）を配設し、該座部（３）の下部に該腰当（１）と該腹当（２）の略中央部にくるよう脚部（４）を配設し、該椅子部（８）を土台（７）の上面部に設置する。該土台（７）の上面部に足裏受（５）及び足甲受（６）を配設し、前記椅子部（８）に人が座った状態において、足裏と足甲が該足裏受及び足甲受に常に接触するようにする。【選択図】図１
2019188089.tif 000002
【特許請求の範囲】
【請求項１】
人間が跨ることのできる椅子部（８）において、該椅子部（８）は座部（３）、腰当（１）、腹当（２）、脚部（４）で構成し、該座部（３）の上部の両端部近傍に腰当（１）と腹当（２）を配設し、該座部（３）の下部に該腰当（１）と該腹当（２）の略中央部に脚部（４）を配設し、該椅子部（８）を土台（７）の上面部に設置したことを特徴とする椅子。
【請求項２】
前記土台（７）の上面部に足裏受（５）及び足甲受（６）を配設し、前記椅子部（８）に人間が座った状態において、足裏と足甲が該足裏受（５）及び足甲受（６）に常に接触するようにしたことを特徴とする請求項（１）に記載の椅子。
【発明の詳細な説明】
【技術分野】
【０００１】  本発明は、腰痛や首痛を防止する揺動動作について、椅子に座った人の呼吸が生み出す力を起点とすることで手作業ができるような安定した揺れを実現する椅子の構造に関するものである。
【背景技術】
【０００２】  長時間同じ姿勢でいることが腰痛の原因となるため、木馬のように足で踏ん張り前後に揺れる椅子や特許文献１のようにバネにより３６０度揺れる椅子があった。しかし揺らし動作の最中にパソコン操作のような手作業を行うことは困難であり、無理に行おうとすれば腰や首に力が入り続け、腰痛や首痛の原因になる問題があった。
【先行技術文献】
【特許文献】
【０００３】
【特許文献１】特開２００５−５８７１９号公報
【発明の概要】
【発明が解決しようとする課題】
【０００４】  解決しようとする問題点は、現状の椅子で揺れ動作により体が不安定になると、揺れと手作業を同時に行う間に腰や首に力が入り続ける点である。
【課題を解決するための手段】
【０００５】  本発明に係る椅子は、該椅子部を座部、腰当、腹当、脚部で構成し、該座部の上部の両端部近傍に腰当と腹当を配設し、該座部の下部に該腰当と該腹当の略中央部にくるよう脚部を配設し、該椅子部を土台の上面部に設置する。該土台の上面部に足裏受及び足甲受を配設し、前記椅子部に人が座った状態において、足裏と足甲が該足裏受及び足甲受に常に接触するようにする。
【発明の効果】
【０００６】  本発明の椅子は、呼吸による腹部の膨張収縮に合わせて揺れ動作を行うため、おだやかな深呼吸を誘発し揺れによる手先の動きが小さく、手作業が可能である。また腰当、腹当、足裏受、足甲受を押すことで揺れを制御するため、腰と腹は交互に弛緩することができ、腰痛を誘発するような筋肉が収縮し続ける状態にならず、腰痛や首痛を防止できる。
【図面の簡単な説明】
【０００７】
【図１】本発明の斜視概略図である。
【図２】本発明の効果を示す概念図である。
【図３】本発明の使用状態の概略図である。
【発明を実施するための形態】
【０００８】  図１及び図３は本発明に係る椅子の実施例を示し、図２は本発明の椅子の使用状態における腰周りの変形と運動を示す。部材は木、金属、セラミック、合成樹脂等が使用できるが、これに限定するものではない。図２のように人が息を吸い終わった時に腰が腰当１に最も深く入り腹が腹当２から離れ、息を吐き終わった時に腹が腹当２に最も深く入り腰が腰当１から離れるようにすることで、息を吐きながら腰が腰当１を押し、息を吸いながら腹が腹当２を押すという揺動動作を行う。腰当１及び腹当２の高さは人が座った時の肩近傍が適し、人の背骨に沿うように接触させるが、左右にずれてもいい。腰当１及び腹当２の人と接触する部位は円柱側面、楕円柱側面、その他曲面が適し、腰幅の１０〜４０％の曲率半径が可能である。該曲率半径が１０未満ではより大きな揺動動作が可能だが、腰当１及び腹当２に接触する骨や筋肉に痛みが出ておだやかな呼吸及びそれに伴う揺動動作が中断されるため適さない。よって痛みが出ない範囲でできるだけ該曲率半径が小さい方がよく、略１５〜２５％が最適である。腰当１と腹当２の間隔は人が座った状態で腰と腹が腰当１及び腹当２に同時に接触し、且つ息苦しさがないようにする。腹の厚みに個人差があるため、腰当１及び腹当２を座部３に配設する方法は、座部３に複数の穴を開けて腰当１及び腹当２を差し込む方法が、腰当１と腹当２の間隔を容易に変更でき適するが、この方法に限定するものではない。座部３の人と接触する部位は円柱側面、楕円柱側面、その他曲面が適し、腰幅の３０〜５０％の曲率半径が適する。脚部４を座部３に配設する方法は座部３に穴を空け、脚部４を差し込む方法が可能であるが、この固定方法に限定するものではない。人の揺動動作に合わせて脚部４も土台７の上面で揺動するが、揺動動作が続くと人が疲れるため、脚部４が揺動せず人が休憩する時間を作るために、脚部４の底面は直径２０ｃｍから３０ｃｍの円形が適する。脚部底面から座部上部までの高さＬは、人がつま先立ちした時の膝の高さと略同じになるようにする。
【０００９】  土台７上面は設置面と水平な平面とする。足裏受５と足甲受６の間隔は、人が座った状態で足裏と足甲が常に足裏受５と足甲受６に接触するようにするが、足の厚みに個人差があるため、足裏受５及び足甲受６を土台７に配接する方法は、土台７に複数の穴を開けて足裏受５及び足甲受６を差し込む方法が間隔を容易に変更でき適するが、この方法に限定するものではない。足裏受５及び足甲受６の人と接触する部位は円柱側面、楕円柱側面、その他曲面が適し、１０ｃｍから２０ｃｍの曲率半径が適する。
【符号の説明】
【００１０】１  腰当
２  腹当
３  座部
４  脚部
５  足裏受
６  足甲受
７  土台
８  椅子部
９  椅子
Ｌ  脚部底面から座部上部までの高さ
【図１】
2019188089.tif 000003
【図２】
2019188089.tif 000004
【図３】
2019188089.tif 000005